(57)【要約】  本発明は、無線通信システムで送信機の資源マッピング方法及び装置に関し、このような本発明は、プレコーディングされるシンボル対が割り当てられた資源ブロック内ですべて隣り合って配置されるようにシンボル対を選択し、選択されたシンボル対をプレコーディングする過程と、前記資源ブロックに前記プレコーディングされたシンボル対を配置する過程と、前記配置されたシンボル対を伝送する過程とを含むことを特徴とする無線通信システムで送信機の資源マッピング方法を提供する。
2013516889.tif 000002
【特許請求の範囲】
【請求項１】
無線通信システムで送信機の資源マッピング方法において、
プレコーディングされるシンボル対が割り当てられた資源ブロック内ですべて隣り合って配置されるようにシンボル対を選択し、選択されたシンボル対をプレコーディングする過程と、
前記資源ブロックに前記プレコーディングされたシンボル対を配置する過程と、
前記配置されたシンボル対を伝送する過程と、を含むことを特徴とする無線通信システムで送信機の資源マッピング方法。
【請求項２】
前記プレコーディングする過程は、
前記資源ブロックの少なくとも一対の資源要素でプレコーディングされないシンボル対が伝送されるように前記選択されたシンボル対のうち少なくとも１つをプレコーディングしないことを特徴とする請求項１に記載の無線通信システムで送信機の資源マッピング方法。
【請求項３】
前記プレコーディングする過程は、
前記資源ブロックで少なくとも一対の隣接するＯＦＤＭシンボルの副搬送波位置で前記プレコーディングされたシンボル対が配置されるようにシンボル対を選択することを特徴とする請求項１に記載の無線通信システムで送信機の資源マッピング方法。
【請求項４】
前記資源ブロックに配置する過程は、
前記伝送資源ブロックのいずれか１つのＯＦＤＭシンボル位置で副搬送波の昇順によって前記プレコーディングされたシンボル対を配置し、前記いずれか１つにＯＦＤＭシンボルと連続されたＯＦＤＭシンボルの位置で副搬送波の降順によって前記プレコーディングされたシンボル対を配置することを特徴とする請求項１に記載の無線通信システムで送信機の資源マッピング方法。
【請求項５】
前記資源ブロックに配置する過程は、
前記資源ブロックの少なくとも一対の資源要素にシンボル対を配置しないことを特徴とする請求項１に記載の無線通信システムで送信機の資源マッピング方法。
【請求項６】
無線通信システムで受信機の資源デマッピング方法において、
信号を受信すれば、受信された信号の前記受信機に割り当てられた資源ブロック内でプレコーディングされたシンボル対がすべて隣り合って配置された資源ブロックでシンボル対をあらかじめ受信したマッピング規則に従ってデマッピングする過程と、
前記プレコーディングされたシンボル対をシンボル対プレコーディング方式に従ってデコーディングする過程と、を含むことを特徴とする無線通信システムで受信機の資源デマッピング方法。
【請求項７】
前記デコーディングする過程は、
前記あらかじめ受信したマッピング規則に従って、前記資源ブロックの少なくとも一対の資源要素でプレコーディングされないシンボル対が伝送されれば、当該シンボル対をデコーディングしないことを特徴とする請求項６に記載の無線通信システムで受信機の資源デマッピング方法。
【請求項８】
前記デコーディングする過程は、
前記あらかじめ受信したマッピング規則に従って、前記資源ブロックで少なくとも一対の隣接するＯＦＤＭシンボルの副搬送波位置で互いに隣接してプレコーディングされたシンボル対が配置されれば、隣接して配置されたシンボル対をデコーディングすることを特徴とする請求項６に記載の無線通信システムで受信機の資源デマッピング方法。
【請求項９】
前記デマッピングする過程は、
前記あらかじめ受信したマッピング規則に従って、前記伝送資源ブロックのいずれか１つのＯＦＤＭシンボル位置で副搬送波の昇順によってプレコーディングされたシンボル対をデマッピングし、前記いずれか１つにＯＦＤＭシンボルと連続されたＯＦＤＭシンボルの位置で副搬送波の降順によって前記プレコーディングされたシンボル対をデマッピングすることを特徴とする請求項６に記載の無線通信システムで受信機の資源デマッピング方法。
【請求項１０】
前記デマッピングする過程は、
前記あらかじめ受信したマッピング規則に従って、少なくとも一対の資源要素にシンボル対が配置されなければ、前記一対の資源要素でデマッピングを行わないことを特徴とする請求項６に記載の無線通信システムで受信機の資源デマッピング方法。
【請求項１１】
無線通信システムで送信機の資源マッピング装置において、
プレコーディングされるシンボル対が割り当てられた資源ブロック内ですべて隣り合って配置されるようにシンボル対を選択するプレコーディング対選択器と；
前記選択されたシンボル対をプレコーディングするプレコーダーと；
前記プレコーディングされたシンボル対を前記資源ブロックに配置する資源要素マッパーと；
前記配置されたシンボル対をＯＦＤＭ変調し、アンテナを介して伝送するＯＦＤＭシンボル生成器とを含むことを特徴とする無線通信システムで送信機の資源マッピング装置。
【請求項１２】
前記プレコーディング対選択器は、
前記資源ブロックの少なくとも一対の資源要素でプレコーディングされないシンボル対が伝送されるように前記シンボル対を選択することを特徴とする請求項１１に記載の無線通信システムで送信機の資源マッピング装置。
【請求項１３】
前記プレコーディング対選択器は、
前記資源ブロックで少なくとも一対の隣接するＯＦＤＭシンボルの副搬送波位置で前記プレコーディングされたシンボル対が配置されるようにシンボル対を選択することを特徴とする請求項１１に記載の無線通信システムで送信機の資源マッピング装置。
【請求項１４】
前記資源要素マッパーは、
前記伝送資源ブロックのいずれか１つのＯＦＤＭシンボル位置で副搬送波の昇順によって前記プレコーディングされたシンボル対を配置し、前記いずれか１つにＯＦＤＭシンボルと連続されたＯＦＤＭシンボルの位置で副搬送波の降順によって前記プレコーディングされたシンボル対を配置することを特徴とする請求項１１に記載の無線通信システムで送信機の資源マッピング装置。
【請求項１５】
前記前記資源要素マッパーは、
少なくともいずれか一対の資源要素にシンボル対を配置しないことを特徴とする請求項１１に記載の無線通信システムで送信機の資源マッピング装置。
【請求項１６】
無線通信システムで受信機の資源デマッピング装置において、
信号を受信すれば、受信された信号の前記受信機に割り当てられた資源ブロック内でプレコーディングされたシンボル対がすべて隣り合って配置された資源ブロックでプレコーディングされたシンボル対をあらかじめ受信したマッピング規則に従ってデマッピングする資源要素デマッパーと；
前記プレコーディングされたシンボル対をシンボル対プレコーディング方式に従ってデコーディングするシンボルデコーダーとを含むことを特徴とする無線通信システムで受信機の資源デマッピング装置。
【請求項１７】
前記シンボルデコーダーは、
前記あらかじめ受信したマッピング規則に従って、前記資源ブロックの少なくとも１つの副搬送波でプレコーディングされないシンボル対が伝送されれば、プレコーディングされないシンボル対をデコーディングしないことを特徴とする請求項１６に記載の無線通信システムで受信機の資源デマッピング装置。
【請求項１８】
前記シンボルデコーダーは、
前記あらかじめ受信したマッピング規則に従って、前記資源ブロックで少なくとも一対の隣接するＯＦＤＭシンボルの副搬送波位置で互いに隣接してプレコーディングされたシンボル対が配置されれば、隣接して配置されたシンボル対をデコーディングすることを特徴とする請求項１６に記載の無線通信システムで受信機の資源デマッピング装置。
【請求項１９】
前記資源要素デマッパーは、
前記あらかじめ受信したマッピング規則に従って、前記伝送資源ブロックのいずれか１つのＯＦＤＭシンボル位置で副搬送波の昇順によってプレコーディングされたシンボル対をデマッピングし、前記いずれか１つにＯＦＤＭシンボルと連続されたＯＦＤＭシンボルの位置で副搬送波の降順によって前記プレコーディングされたシンボル対をデマッピングすることを特徴とする請求項１６に記載の無線通信システムで受信機の資源デマッピング装置。
【請求項２０】
前記資源要素デマッパーは、
前記あらかじめ受信したマッピング規則に従って、少なくとも一対の資源要素にシンボル対が配置されなければ、前記一対の資源要素でデマッピングを行わないことを特徴とする請求項１６に記載の無線通信システムで受信機の資源デマッピング装置。
【発明の詳細な説明】
【技術分野】
【０００１】
本発明は、無線通信システムで資源マッピング及びデマッピング方法及び装置に関し、より詳細には、伝送資源要素を効率的にマッピングし、伝送資源を効率的に使用することができる無線通信システムで資源マッピング及びデマッピング方法及び装置に関する。
【背景技術】
【０００２】
３ＧＰＰ  ＬＴＥ、３ＧＰＰ  ＬＴＥ−ＡまたはＩＥＥＥ  ８０２．１６ｍなどのような最近の３世代の進化された無線移動通信システム標準では、多重接続技法としてＯＦＤＭ（Ａ）（ｏｒｔｈｏｇｏｎａｌ  ｆｒｅｑｕｅｎｃｙ  ｄｉｖｉｓｉｏｎ  ｍｕｌｔｉｐｌｅｘｉｎｇ（ｍｕｌｔｉｐｌｅ  ａｃｃｅｓｓ））のような多重搬送波を利用した多重接続技法を主に採択している。
【０００３】
多重搬送波を利用した多重接続技法を適用した無線移動通信システムの下向きリンクで、基地局（ｅＮＢ：ｅｖｏｌｏｖｅｄ  Ｎｏｄｅ  Ｂ、ＢＳ：Ｂａｓｅ  Ｓｔａｔｉｏｎ）は、多数の副搬送波（ｓｕｂｃａｒｒｉｅｒ）と多数のＯＦＤＭシンボルよりなる資源ブロック（ＲＢ：Ｒｅｓｏｕｒｃｅ  Ｂｌｏｃｋ）を基本単位にして端末（ＵＥ：Ｕｓｅｒ  Ｅｑｕｉｐｍｅｎｔ、ＭＳ：Ｍｏｂｉｌｅ  Ｓｔａｔｉｏｎ）別に資源を割り当てて、割り当てた資源ブロックに当該端末のためのデータを伝送する。
【０００４】
この際、基地局は、空間多重化（ｓｐａｔｉａｌ  ｍｕｌｔｉｐｌｅｘｉｎｇ）と送信ダイバシティ（ｔｒａｎｓｍｉｔ  ｄｉｖｅｒｓｉｔｙ）などの方法を利用する。３ＧＰＰ  ＬＴＥまたは３ＧＰＰ  ＬＴＥ−Ａシステムで送信ダイバシティは、各レイヤー（ｌａｙｅｒ）にマッピング（ｍａｐｐｉｎｇ）されたコードワード（ｃｏｄｅｗｏｒｄ）に送信ダイバシティのためのプレコーディング（ｐｒｅｃｏｄｉｎｇ）を適用した後、当該端末に割り当てた資源ブロックの資源要素（ＲＥ：ｒｅｓｏｕｒｃｅ  ｅｌｅｍｅｎｔ）に割り当てることによって行なわれる。一方、従来の３ＧＰＰ  ＬＴＥシステムとは異なって、３ＧＰＰ  ＬＴＥ−Ａシステムでは、端末で受信された信号の復調のための復調基準信号（ＤＭ−ＲＳ：ｄｅｍｏｄｕｌａｔｉｏｎ  ｒｅｆｅｒｅｎｃｅ  ｓｉｇｎａｌ）とチャネル状態の測定のためのチャネル状態情報基準信号（ＣＳＩ−ＲＳ：ｃｈａｎｎｅｌ  ｓｔａｔｅ  ｉｎｆｏｒｍａｔｉｏｎ  ｒｅｆｅｒｅｎｃｅ  ｓｉｇｎａｌ）を新たに導入している。しかし、復調基準信号及びチャネル状態情報基準信号の導入によって、資源ブロック内でデータが位置することができる資源要素の位置が従来のＬＴＥシステムと変わるようになり、これにより、送信ダイバシティを利用した伝送を行うとき、ＬＴＥ−Ａシステムでは、従来のＬＴＥシステムのような方法のプレコーディングと資源要素に対するマッピングを行う場合、その性能が低下する。
【発明の概要】
【発明が解決しようとする課題】
【０００５】
したがって、本発明の目的は、プレコーディングされたシンボル対の資源要素のマッピング時に発生する問題点を解決することができる無線通信システムで資源マッピング及びデマッピング方法及び装置を提供することにある。
【課題を解決するための手段】
【０００６】
上記目的を達成するために、本発明の好ましい実施形態による無線通信システムで送信機の資源マッピング方法は、プレコーディングされるシンボル対が割り当てられた資源ブロック内ですべて隣り合って配置されるようにシンボル対を選択してプレコーディングする過程と、前記プレコーディングされたシンボル対を前記資源ブロックに配置する過程と、前記配置されたシンボル対を伝送する過程とを含む。
【０００７】
また、本発明の好ましい実施形態による無線通信システムで受信機の資源デマッピング方法は、信号を受信すれば、受信された信号の前記受信機に割り当てられた資源ブロック内でプレコーディングされたシンボル対がすべて隣り合って配置された資源ブロックでプレコーディングされたシンボル対をあらかじめ受信したマッピング規則に従ってデマッピングする過程と、前記プレコーディングされたシンボル対をデコーディングする過程とを含む。
【０００８】
また、本発明の好ましい実施形態による無線通信システムで送信機の資源マッピング装置は、プレコーディングされるシンボル対が割り当てられた資源ブロック内ですべて隣り合って配置されるようにシンボル対を選択するプレコーディング対選択器と；前記選択されたシンボル対をプレコーディングするプレコーダーと；前記プレコーディングされたシンボル対を前記資源ブロックに配置する資源要素マッパーと；前記配置されたシンボル対をＯＦＤＭ変調し、アンテナを通じて伝送するＯＦＤＭシンボル生成器とを含む。
【０００９】
また、本発明の好ましい実施形態による無線通信システムで受信機の資源デマッピング装置は、信号を受信すれば、受信された信号の前記受信機に割り当てられた資源ブロック内でプレコーディングされたシンボル対がすべて隣り合って配置された資源ブロックでプレコーディングされたシンボル対をあらかじめ受信したマッピング規則に従ってデマッピングする資源要素デマッパーと；前記プレコーディングされたシンボル対をデコーディングするシンボルデコーダーとを含む。
【発明の効果】
【００１０】
本発明によれば、プレコーディングされたシンボル対をデコーディングするとき、デコーディングエラーが発生する問題とデータ復調時にエラーが発生する問題を解決することができる。
【図面の簡単な説明】
【００１１】
【図１】図１は、ＬＴＥシステムで共通基準信号の配置を説明するための図である。
【図２】図２は、ＬＴＥ−Ａシステムで復調基準信号の配置を説明するための図である。
【図３】図３は、従来の技術によるプレコーディングされたシンボルを資源要素に配置する方法を説明するための図である。
【図４】図４は、従来の技術によるプレコーディングされたシンボルを資源要素に配置する方法を説明するための図である。
【図５】図５は、本発明の第１実施形態によるプレコーディングシンボル対の資源要素配置方法を説明するための図である。
【図６】図６は、本発明の第１実施形態によるプレコーディングシンボル対の資源要素配置方法を説明するための図である。
【図７】図７は、本発明の第１実施形態によるプレコーディングシンボル対の資源要素配置方法を説明するための図である。
【図８】図８は、本発明の第１実施形態によるプレコーディングシンボル対の資源要素配置方法を説明するための図である。
【図９】図９は、本発明の第１実施形態によるプレコーディングシンボル対の資源要素配置方法を説明するための図である。
【図１０】図１０は、本発明の第１実施形態によるプレコーディングシンボル対の資源要素配置方法を説明するための図である。
【図１１】図１１は、本発明の第１実施形態によるプレコーディングシンボル対の資源要素配置方法を説明するための図である。
【図１２】図１２は、本発明の第２実施形態によるプレコーディングシンボル対の資源要素配置方法を説明するための図である。
【図１３】図１３は、本発明の第２実施形態によるプレコーディングシンボル対の資源要素配置方法を説明するための図である。
【図１４】図１４は本発明の実施形態による送信機の概略的な構造を説明するための図である。
【図１５】図１５は本発明の実施形態による送信機の概略的な構造を説明するための図である。
【図１６】図１６は、本発明の実施形態による伝送機の資源要素のマッピング方法を説明するための流れ図である。
【図１７】図１７は、本発明の実施形態による受信機の資源要素のデマッピング方法を説明するための流れ図である。
【図１８】図１８は、ＬＴＥシステムの資源ブロック内でチャネル状態情報基準信号の配置図である。
【図１９】図１９は、ＬＴＥシステムでプレコーディングシンボル対の配置図である。
【図２０】図２０は、ＬＴＥ−Ａシステムで共通基準信号アンテナポートの個数が２個であり、チャネル状態情報基準信号アンテナポートの個数が１である場合、プレコーディングシンボル対の配置の例示図である。
【図２１】図２１は、ＬＴＥ−Ａシステムで共通基準信号アンテナポートの個数が２個であり、チャネル状態情報基準信号アンテナポートの個数が２である場合、プレコーディングシンボル対の配置の例示図である。
【図２２】図２２は、ＬＴＥ−Ａシステムで共通基準信号アンテナポートの個数が４個であり、チャネル状態情報基準信号アンテナポートの個数が１である場合、プレコーディングシンボル対の配置の例示図である。
【図２３】図２３は、ＬＴＥ−Ａシステムで共通基準信号アンテナポートの個数が４個でありチャネル状態情報基準信号アンテナポートの個数が２である場合、プレコーディングシンボル対の配置の例示図である。
【図２４】図２４は、本発明の第３実施形態によるＬＴＥ−Ａシステムで共通基準信号アンテナポートの個数が２個であり、チャネル状態情報基準信号アンテナポートの個数が１である場合、本発明の資源要素配置方法を適用した例示図である。
【図２５】図２５は、本発明の第３実施形態によるＬＴＥ−Ａシステムで共通基準信号アンテナポートの個数が２個であり、チャネル状態情報基準信号アンテナポートの個数が２である場合、資源要素配置方法を適用した例示図である。
【図２６】図２６は、本発明の第３実施形態によるＬＴＥ−Ａシステムで共通基準信号アンテナポートの個数が４個であり、チャネル状態情報基準信号アンテナポートの個数が１である場合、資源要素配置方法を適用した例示図である。
【図２７】図２７は、本発明の第３実施形態によるＬＴＥ−Ａシステムで共通基準信号アンテナポートの個数が４個でありチャネル状態情報基準信号アンテナポートの個数が２である場合、資源要素配置方法を適用した例示図である。
【図２８】図２８は、本発明の第４実施形態によるＬＴＥ−Ａシステムで共通基準信号アンテナポートの個数が２個であり、チャネル状態情報基準信号アンテナポートの個数が１である場合、プレコーディング方法を適用した例示図である。
【図２９】図２９は、本発明の第４実施形態によるＬＴＥ−Ａシステムで共通基準信号アンテナポートの個数が２個であり、チャネル状態情報基準信号アンテナポートの個数が２である場合、プレコーディング方法を適用した例示図である。
【図３０】図３０は、本発明の第４実施形態によるＬＴＥ−Ａシステムで共通基準信号アンテナポートの個数が４個であり、チャネル状態情報基準信号アンテナポートの個数が１である場合、プレコーディング方法を適用した例示図である。
【図３１】図３１は、本発明の第４実施形態によるＬＴＥ−Ａシステムで共通基準信号アンテナポートの個数が４個でありチャネル状態情報基準信号アンテナポートの個数が２である場合、プレコーディング方法を適用した例示図である。
【図３２】図３２は、本発明の第４実施形態によるＬＴＥ−Ａシステムでプレコーディング方法を適用した例示図である。
【発明を実施するための形態】
【００１２】
以下、添付の図面を参照して本発明の好ましい実施形態を詳しく説明する。この際、添付の図面において同一の構成要素は、できるだけ同一の符号で示していることに留意しなければならない。また、本発明の要旨を不明にすることができる公知機能及び構成に対する詳細な説明は省略する。
【００１３】
送信ダイバシティ技術は、多重アンテナを利用して同じデータを異なるチャネルで送受信する技術であって、受信した信号が経験したチャネルの変動を低減することによって、受信性能を向上させる技術である。
【００１４】
ＬＴＥシステムでは、送信ダイバシティ技法としてＳＦＢＣ（ｓｐａｃｅ  ｆｒｅｑｕｅｎｃｙ  ｂｌｏｃｋ  ｃｏｄｉｎｇ）とＦＳＴＤ（ｆｒｅｑｕｅｎｃｙ  ｓｗｉｔｃｈｅｄ  ｔｒａｎｓｍｉｔ  ｄｉｖｅｒｓｉｔｙ）が使用されている。このために、変調されたシンボルが各レイヤー別に割り当てられた後、送信ダイバシティのためのプレコーディングを行った後、プレコーディングされたシンボルを資源要素に配置する手続を行う。この際、プレコーディングされたシンボルは、ＰＤＳＣＨ（ｐｈｙｓｉｃａｌ  ｄｏｗｎｌｉｎｋ  ｓｈａｒｅｄ  ｃｈａｎｎｅｌ）に該当する領域でＰＢＣＨ（ｐｈｙｓｉｃａｌ  ｂｒｏａｄｃａｓｔ  ｃｈａｎｎｅｌ）、同期信号（ｓｙｎｃｈｒｏｎｉｚａｔｉｏｎ  ｓｉｇｎａｌｓ）、基準信号（ｒｅｆｅｒｅｎｃｅ  ｓｉｇｎａｌｓ）を除いた資源要素に割り当てられ、割り当てられる順序は、周波数優先で当該端末に割り当てられた資源ブロックのＰＤＳＣＨで最も一番目のＯＦＤＭシンボルの一番目の副搬送波位置から周波数軸に資源要素を満たし、１つのＯＦＤＭシンボルをすべて満たしてから、次のＯＦＤＭシンボルの割り当てられた資源ブロックの一番目の副搬送波の位置から資源要素を満たすようになる。
【００１５】
ＬＴＥ−Ａシステムでは、新しく導入した復調基準信号（ＤＭ−ＲＳ）によってＬＴＥシステムに対応してＬＴＥ−Ａシステムのデータを伝送するための資源要素の位置が変化する。また、ＬＴＥシステムで使用された送信ダイバシティを具現するためのプレコーディング及びデータの資源要素マッピング方法を同様にＬＴＥ−Ａシステムに適用する場合、その性能が低下する。このような性能低下が発生する原因について記述する。
【００１６】
前述したように、３ＧＰＰ  ＬＴＥシステムでは、送信ダイバシティ技術としてＳＦＢＣとＦＳＴＤが使用されていて、それぞれ２個の送信アンテナ、４個の送信アンテナがある場合のみを仮定する。
【００１７】
ＳＦＢＣは、Ａｌａｍｏｕｔｉコードとしてよく知られているＳＴＢＣ（ｓｐａｃｅ  ｔｉｍｅ  ｂｌｏｃｋ  ｃｏｄｅｓ）の周波数軸形態である。ＳＦＢＣは、直交する送信ダイバシティストリームよりなり、線形受信機で最適の信号電力対雑音電力比を得ることができるように設計されている。このような直交コードは、ただ２個の送信アンテナの場合にのみ存在する。ＬＴＥシステムでＳＦＢＣ伝送は、次の数式１のように構成され、２つのアンテナポートでそれぞれ隣接する２つの副搬送波の対で伝送される。
【００１８】
【数１】
2013516889.tif 000003
【００１９】
数式１で、
【００２０】
【数２】
2013516889.tif 000004
【００２１】
は、アンテナポートｐでｋ番目の副搬送波に伝送されるシンボルを示す。
【００２２】
ＳＦＢＣで使用される直交コードは、アンテナ設定が
【００２３】
【数３】
2013516889.tif 000005
【００２４】
以上の場合では存在しない。したがって、ＬＴＥシステムで送信アンテナが４個である場合には、次の数式２のように、ＳＦＢＣとＦＳＴＤが結合されて使用される。
【００２５】
【数４】
2013516889.tif 000006
【００２６】
一方、無線移動通信システムで受信信号を復調するためには、受信信号が経験したチャネルを推定しなければならない。３ＧＰＰ  ＬＴＥ及び３ＧＰＰ  ＬＴＥ−Ａでは、それぞれ共通基準信号（ＣＲＳ：ｃｏｍｍｏｎ  ｒｅｆｅｒｅｎｃｅ  ｓｉｇｎａｌ）と復調基準信号（ＤＭ−ＲＳ：ｄｅｍｏｄｕｌａｔｉｏｎ  ｒｅｆｅｒｅｎｃｅ  ｓｙｍｂｏｌ）がこのような役目を行う。
【００２７】
図１は、ＬＴＥシステムで共通基準信号の配置を説明するための図である。
【００２８】
図１を参照すれば、共通基準信号は、ＬＴＥシステムで当該基地局が属するセル（ｃｅｌｌ）のすべての端末に伝送される基準信号である。チャネル状態情報の生成及び受信信号の復調のために利用される。図１（ａ）、（ｂ）及び（ｃ）は、アンテナポート数によって資源ブロック（ＲＢ）を示し、各資源ブロック内で資源要素（ＲＥ）及び共通基準信号（ＣＲＳ）の配置を示す。
【００２９】
図２は、ＬＴＥ−Ａシステムで復調基準信号の配置を説明するための図である。
【００３０】
図２を参照すれば、復調基準信号は、ＬＴＥ−Ａシステムでチャネル状態情報復調信号と別に各資源ブロックに対してプレコーディングされて伝送される基準信号であり、各伝送レイヤー毎に区分されていて多重アンテナ使用が可能であり、当該資源ブロックと当該レイヤー伝送を割り当てられた端末だけが復調が可能である。受信信号の復調に利用される。図２（ａ）及び（ｂ）は、アンテナポート数によって資源ブロック（ＲＢ）を示し、各資源ブロック内で資源要素（ＲＥ）及び復調基準信号（ＤＭ−ＲＳ）の配置を示す。
【００３１】
図１及び図２に示されたように、共通基準信号及び復調基準信号が配置される資源要素の位置が変わるので、ＬＴＥ及びＬＴＥ−ＡシステムでＰＤＳＣＨ領域でデータが伝送され得る資源要素が変わる。
【００３２】
次に、プレコーディングされたシンボルの資源要素配置について記述する。
【００３３】
ＬＴＥシステムで変調されたシンボルは、プレコーディングされた後に、当該端末に割り当てられた資源ブロックの資源要素に配置される。この際、その配置は、資源ブロック内で次のような基準で資源要素の位置を有する。
【００３４】
第一に、資源要素は、ＰＢＣＨ、同期信号及び基準信号の位置には伝送されない。
【００３５】
第二に、資源要素は、ＰＤＣＣＨのような制御チャネルのＯＦＤＭシンボルに伝送されない。
【００３６】
資源要素は、前記基準を守りながら、特定の端末に割り当てられた資源ブロックのうち最も一番目のＯＦＤＭシンボルの最も低いインデックスの副搬送波位置から割当が開始し、副搬送波インデックスを増加させながら割り当てられる。この際、副搬送波インデックスが割り当てられた資源ブロックの終わりに到逹すれば、次のＯＦＤＭシンボルの最も低いインデックスでさらに割当を開始する。すなわち、資源要素は、割り当てられた資源ブロックで下から上に、左から右に順に割り当てられる。
【００３７】
ＬＴＥシステムでは、前述したように、周波数優先方式でプレコーディングされたシンボルを資源ブロックに割り当てる。
【００３８】
図３及び図４は、従来の技術によるプレコーディングされたシンボルを資源要素に配置する方法を説明するための図である。
【００３９】
ＬＴＥシステムでプレコーディングされたシンボルが資源要素に配置される手続は、前述した通りである。特に、図３及び図４で、受信機に割り当てられた資源ブロックで副搬送波の数をｎ個と仮定する。これにより、説明の便宜のために、副搬送波は、プレコーディングされたシンボルが割り当てられる手順、すなわち、資源ブロックの下から上に０ないしｎ−１の順にインデクシングする。また、ＯＦＤＭシンボルは、プレコーディングされたシンボルが割り当てられる手順、すなわち、資源ブロックの左から右にｍ、ｍ＋１の順にインデクシングする。
【００４０】
ＬＴＥシステムで送信ダイバシティは、ＳＦＢＣを基盤としている。それで、送信ダイバシティを適用するためには、資源要素に配置されるプレコーディングされたシンボルの個数が２の倍数にならなければならない。また、ＳＦＢＣを適用するための基本過程によってプレコーディングされた対が同一であるか、非常に変化が少ないチャネルを経験しなければならない  したがって、各資源要素に配置されるプレコーディングされたシンボルの対は、隣接する資源要素に配置されなければならない。図３（ａ）は、共通基準信号が位置するＯＦＤＭシンボルでプレコーディングされたシンボルの対が配置される例を示す。詳細には、二番目のＯＦＤＭシンボル（ｍ＋１）で共通基準信号が位置する副搬送波（０、３、６、９、…、ｎ−１２、ｎ−９、ｎ−６、ｎ−３）を除いた残りの資源要素にプレコーディングされたシンボルの対が順に配置される。点線または実線は、プレコーディングされたシンボルの対を示す。このように、ＬＴＥシステムでは、ＳＦＢＣプレコーディングされたシンボルの対は、常に隣接する副搬送波に割り当てられることが分かる。
【００４１】
一方、ＬＴＥ−Ａシステムの場合、ＬＴＥシステムの共通基準信号の一部を使用しているが、信号の復調のために新たに復調基準信号を導入した。そのため、ＬＴＥで適用された送信ダイバシティ技術と資源要素配置基準を同一に適用すれば、２つの場合でＬＴＥより復調性能が低下する。これは、復調基準信号が位置するＯＦＤＭシンボルでプレコーディングされたシンボルを伝送することができる空いている資源要素の個数が奇数からである。これを図３の（ｂ）、（ｃ）及び（ｄ）を参照して記述する。
【００４２】
図３の（ｂ）及び（ｃ）は、ＬＴＥ−Ａシステムでアンテナポートの個数が２個以下である場合、それぞれ割り当てられた資源ブロックの個数が奇数である場合及び割り当てられた資源ブロックの個数が偶数である場合、ＬＴＥシステムと同じ方法でプレコーディングされたシンボル対を資源要素に配置した場合の配置図である。また、図３の（ｄ）は、ＬＴＥ−Ａシステムでアンテナポートの個数が３個以上である場合、ＬＴＥシステムと同じ方法でプレコーディングされたシンボル対を資源要素に配置した場合の配置図である。それぞれのＳＦＢＣプレコーディングされたシンボルの対は、実線または点線で示した。
【００４３】
資源ブロックの個数が奇数である場合、ＳＦＢＣプレコーディングされたシンボルをＬＴＥの資源要素配置方法に合わせて配置すれば、割り当てられた復調基準信号が位置する一番目のＯＦＤＭシンボルの最後の副搬送波インデックスに配置されるＳＦＢＣプレコーディングされたシンボルは、後続の復調基準信号が位置するＯＦＤＭシンボルの一番目の副搬送波インデックスに配置されるＳＦＢＣプレコーディングされたシンボルと対を成すようになり、ＳＦＢＣ復調で正しく復調されることができない。例えば、図３の（ｂ）に示されたように、一番目のＯＦＤＭシンボルの最後の二番目の副搬送波位置の資源要素（ｍ、ｎ−２）と、二番目のＯＦＤＭシンボルの一番目の副搬送波位置の資源要素（ｍ＋１、０）にプレコーディングされたシンボル対が配置され、復調時にエラーが発生することができる。これは、点線で示した。
【００４４】
一方、割り当てられた資源ブロックの個数が偶数であるか、アンテナポートの個数が３個以上の場合のように、復調基準信号が位置するＯＦＤＭシンボルで空いている資源要素の個数が偶数であっても、連続し、且つ空いている資源要素の個数が２の倍数ではなければ、ＳＦＢＣプレコーディングされたシンボルの対が副搬送波１個または場合によって１個以上の間隔で周波数軸に間隔が広がるようになるので、ＳＦＢＣ復調で性能が低下することができるおそれがある。このような現象は割り当てられた資源ブロックの個数やアンテナポートの個数に関係なく発生する。例えば、図３の（ｂ）で｛（ｍ、０）、（ｍ、２）｝、図３の（ｃ）で｛（ｍ、０）、（ｍ、２）｝、｛（ｍ＋１、０）、（ｍ＋１、２）｝、図３の（ｄ）で｛（ｍ、４）、（ｍ、７）｝、｛（ｍ＋１、４）、（ｍ＋１、７）｝などがこのような場合である。
【００４５】
前述したように、ＬＴＥ−Ａシステムで送信ダイバシティ技術に性能低下が発生する理由は、図４に示されたように、復調基準信号が導入され、ＳＦＢＣプレコーディングされたシンボル対が隣接する資源要素に割り当てられないからである。
【００４６】
以下、本発明の実施形態によるプレコーディングされたシンボル対の配置方法について説明する。
【００４７】
したがって、本発明では、２つの方法で前記言及された問題点を解決しようとする。第一の方法として、プレコーディングシンボル対を新たに選択する方法があり、第二の方法として、プレコーディングされたシンボルデータの資源要素に配置する手順を異にする方法がある。第一の方法を第１実施形態として、第二の方法を第２実施形態として説明する。
【００４８】
第１実施形態
【００４９】
図５ないし図１１は、本発明の第１実施形態によるプレコーディングシンボル対の資源要素配置方法を説明するための図である。
【００５０】
説明の便宜のために、図５ないし図１１で、図３及び図４と同様に、送信機が受信機に割り当てた資源ブロックの１つのＯＦＤＭシンボルで副搬送波の数をｎ個と仮定する。これにより、副搬送波は、プレコーディングされたシンボルが割り当てされる手順、すなわち資源ブロックの下から上に０ないしｎ−１の順にインデクシングする。また、ＯＦＤＭシンボルは、プレコーディングされたシンボルが割り当てられる手順、すなわち、資源ブロックの左から右にｍ、ｍ＋１の順にインデクシングする。
【００５１】
第１実施形態は、さらに３つの方法に分類されることができる。これは、一部の副搬送波でデータシンボルを伝送しない方法と、一部の副搬送波でＳＦＢＣプレコーディングされないシンボルを伝送する方法及び一部の副搬送波で隣接するＯＦＤＭシンボル間にプレコーディングをする方法を含む。
【００５２】
第一に、一部の副搬送波でデータシンボルを伝送しない方法について説明する。
【００５３】
ＳＦＢＣの場合、プレコーディングされたシンボルの対が経験するチャネルの差が大きくなれば、復調時にエラーが発生するようになり、誤って復調されたシンボルは、ターボコードをデコーディングするとき、性能低下を誘発することができる。したがって、エラーが発生しないように、特定位置ではデータシンボルを伝送しない方法を提案する。
【００５４】
図５の（ａ）、（ｂ）を参照すれば、送信機は、アンテナポートの個数が２以下であり、割り当てられた資源ブロックの個数が奇数である場合、送信機は、割り当てられた資源ブロック内で復調基準信号があるＯＦＤＭシンボルごとに１つの資源要素にデータシンボルを伝送しなくてもよい。すなわち、図５の（ａ）で資源要素（ｍ、０）及び（ｍ＋１、０）でデータシンボルを伝送せず、図５の（ｂ）で資源要素（ｍ、ｎ−１）及び（ｍ＋１、０）でデータシンボルを伝送しなくてもよい。これにより、すべてのＯＦＤＭシンボルで割り当てられた資源ブロック範囲内の副搬送波個数を偶数に作って、復調時にエラーが発生する問題を解決することができる。
【００５５】
この際、図５の（ａ）、（ｂ）の場合のように、特定位置ではなく、割り当てられた資源ブロック内で復調基準信号があるＯＦＤＭシンボルごとに基準信号とＰＢＣＨ、同期信号を除いた空いている資源要素のうちどんな位置でも１つの資源要素だけを選択し、データシンボルを伝送しない副搬送波にすることができる。データシンボルを伝送しない副搬送波の位置は、復調基準信号があるＯＦＤＭシンボル同士で互いに異なることができる。
【００５６】
図６の（ａ）を参照すれば、アンテナポートの個数が２以下であるとき、割り当てられた資源ブロックの個数と関係なく、送信機は、割り当てられた資源ブロック内で復調基準信号があるＯＦＤＭシンボルごとに各資源ブロック別に最もインデックスが低い副搬送波一個ずつにデータシンボルを伝送しなくてもよい。すなわち、図６の（ａ）で資源要素（ｍ、０）及び（ｍ＋１、０）でデータシンボルを伝送しなくてもよい。
【００５７】
図７及び図８を参照すれば、アンテナポートの個数が３以上であるとき、割り当てられた資源ブロックの個数と関係なく、割り当てられた資源ブロック内で復調基準信号があるＯＦＤＭシンボルごとに２つの対のコード分割多重された復調基準信号グループの間で２つのＯＦＤＭシンボルで同じ副搬送波位置でデータシンボルを伝送しないことによって、問題点である復調エラー及びデコーディング性能の低下を解決することができる。
【００５８】
図７に示されたように、データシンボルを伝送しない副搬送波の位置は、復調基準信号がある２つの連続されたＯＦＤＭシンボルで同じ位置になることもできる。例えば、図７の（ａ）で資源要素（ｍ、４）と（ｍ＋１、４）がこのような場合である。
【００５９】
図８に示されたように、データシンボルを伝送しない副搬送波の位置は、互いに異なる位置になることができる。図８の（ａ）で資源要素（ｍ、４）と（ｍ＋１、２）がこのような場合である。また、データシンボルを伝送しない副搬送波の位置は、１つの資源ブロックでは、同じ位置であり、他の資源ブロックでは、互いに異なる位置になることもできる。例えば、図８の（ｃ）で資源要素（ｍ、４）と（ｍ＋１、２）のように１つの資源ブロック（ＲＢ ０）では同じ位置であり、図８の（ｃ）で資源要素（ｍ、ｎ−５）と（ｍ＋１、ｎ−３）のように他の資源ブロック（ＲＢ Ｎ−１）では互いに異なる位置になることができる。
【００６０】
しかし、前述したように、伝送しない副搬送波の位置を図７及び図８に示されたものに限定するものではない。すなわち、２つの対のコード分割多重された復調基準信号グループの間で連続された２つの副搬送波を除いて１つの副搬送波だけがデータシンボルを伝送しない条件を満足するすべての組合を含む。
【００６１】
前記のすべての方法でデータシンボルを伝送しない副搬送波にデータシンボル以外にチャネル状態情報基準信号（ＣＳＩ−ＲＳ）や制御信号などいずれも伝送をすることもでき、何も伝送しないこともできる。
【００６２】
前記一部副搬送波でデータシンボルを伝送しない方法は、ＬＴＥ−Ａシステムでこれらのうち１つだけを支援することもでき、１つ以上を支援することもできる。１つ以上支援する場合には、物理階層制御信号や上位階層制御信号を利用してどんな方法が適用されるかを受信機に通知する。したがって、受信機は、前記言及された方法のうちどんな方法が適用されるかを把握しているので、どんな位置の副搬送波で何も伝送されないか、またはプレコーディングされたシンボル以外の他の信号が伝送されることを把握することができる。
【００６３】
この際、受信機は、プレコーディングされたシンボル以外の他の信号（例えば、制御信号）が当該位置に伝送されれば、当該位置の資源要素だけを当該信号に適当な方法に復調し、残りのデータシンボルがプレコーディングされて伝送された部分は、別に復調する。何も伝送されない場合には、当該位置の値を０にし、残りのデータシンボルがプレコーディングされて伝送された部分とともに復調することもでき、当該位置だけを除いて残りのプレコーディングされたシンボルだけを復調することもできる。
【００６４】
第二に、一部の副搬送波でＳＦＢＣプレコーディングされないシンボルを伝送する方法について説明する。
【００６５】
ＳＦＢＣの場合、プレコーディングされたシンボルの対が経験するチャネルの差が大きくなれば、復調時にエラーが発生するようになり、誤って復調されたシンボルは、ターボコードをデコーディングするとき、性能低下を誘発することができる。したがって、エラーが発生しないように、特定位置ではデータシンボルをＳＦＢＣプレコーディングせずに伝送する方法を提案する。
【００６６】
図５の（ｃ）及び（ｄ）を参照すれば、アンテナポートの個数が２以下であり、割り当てられた資源ブロックの個数が奇数である場合、送信機は、割り当てられた資源ブロック内で復調基準信号があるＯＦＤＭシンボルごとに１つの資源要素にデータシンボルをＳＦＢＣプレコーディングせずに伝送することができる。すなわち、図５の（ｃ）で資源要素（ｍ、０）及び（ｍ＋１、０）でプレコーディングしないデータシンボルを伝送することができ、図５の（ｄ）で資源要素（ｍ、ｎ−１）及び（ｍ＋１、０）でプレコーディングしないデータシンボルを伝送することができる。これにより、すべてのＯＦＤＭシンボルで割り当てられた資源ブロック範囲内のＳＦＢＣプレコーディングされたデータシンボルが運搬される副搬送波の個数を偶数に作って、復調エラーの問題を解決することができる。
【００６７】
この際、図５の（ｃ）及び（ｄ）の場合のように、特定位置ではなく、割り当てられた資源ブロック内で復調基準信号があるＯＦＤＭシンボルごとに基準信号とＰＢＣＨ、同期信号を除いた空いている資源要素のうちどんな位置でも１つの資源要素だけを選択し、データシンボルをＳＦＢＣプレコーディングせずに伝送する副搬送波にすることができる。データシンボルをＳＦＢＣプレコーディングせずに伝送する副搬送波の位置は、復調基準信号があるＯＦＤＭシンボル同士で互いに異なることができる。
【００６８】
アンテナポートの個数が２以下であり、割り当てられた資源ブロックの個数と関係な場合
【００６９】
図６の（ｂ）を参照すれば、アンテナポートの個数が２以下であり、割り当てられた資源ブロックの個数と関係なく、送信機は、割り当てられた資源ブロック内で復調基準信号があるＯＦＤＭシンボルごとに各資源ブロック別に最もインデックスが低い副搬送波一個ずつにデータシンボルをＳＦＢＣプレコーディングせずに伝送することができる。すなわち、図６の（ｂ）で資源要素（ｍ、０）及び（ｍ＋１、０）でデータシンボルを伝送しないこともできる。これにより、復調エラー及びデコーディング性能の低下を改善することができる。
【００７０】
アンテナポートの個数が３以上であり、割り当てられた資源ブロックの個数と関係な場合
【００７１】
図９及び図１０を参照すれば、アンテナポートの個数が３以上であるとき、割り当てられた資源ブロックの個数と関係なく、送信機は、割り当てられた資源ブロック内で復調基準信号があるＯＦＤＭシンボルごとに２つの対のコード分割多重された復調基準信号グループの間で２つのＯＦＤＭシンボルで同じ副搬送波位置でデータシンボルをＳＦＢＣプレコーディングせずに伝送することができる。これにより、デコーディング性能の低下を改善することができる。
【００７２】
この際、データシンボルをＳＦＢＣプレコーディングせずに伝送する副搬送波の位置は、図９の場合のように復調基準信号がある２つの連続されたＯＦＤＭシンボルで同じ位置になることもできる。例えば、図９の（ａ）で資源要素（ｍ、４）と（ｍ＋１、４）がこのような場合である。
【００７３】
また、図１０に示されたように、プレコーディングせずに伝送する副搬送波の位置は、図１０の（ａ）で資源要素（ｍ、４）と（ｍ＋１、２）のように互いに異なる位置になることができる。そして、プレコーディングせずに伝送する副搬送波の位置は、図１０の（ｃ）で資源要素（ｍ、４）と（ｍ＋１、２）のように１つの資源ブロック（ＲＢ ０）では同じ位置であり、図１０の（ｃ）で資源要素（ｍ、ｎ−５）と（ｍ＋１、ｎ−３）のように他の資源ブロック（ＲＢ Ｎ−１）では互いに異なる位置になることもできる。
【００７４】
しかし、前述したように、プレコーディングせずに伝送する副搬送波の位置を図９及び図１０に示されたものに限定するものではない。すなわち、２つの対のコード分割多重された復調基準信号グループの間で連続された２つの副搬送波を除いて１つの副搬送波だけが、データシンボルをＳＦＢＣプレコーディングせずに伝送する条件を満足するすべての組合を含む。
【００７５】
前記一部の副搬送波でＳＦＢＣプレコーディングされないシンボルを伝送する方法は、ＬＴＥ−Ａシステムでこれらのうち１つだけを支援することもでき、１つ以上を支援することもできる。１つ以上支援する場合には、物理階層制御信号や上位階層制御信号を利用してどんな方法が適用されるかを受信機に通知する。したがって、受信機は、前記言及された方法のうちどんな方法が適用されるかを把握しているので、どんな位置の副搬送波でＳＦＢＣプレコーディングされないシンボルが伝送されることを把握することができる。したがって、受信機は、当該位置だけをＳＦＢＣデコーディングをせずに復調し、当該位置を除いて残りのプレコーディングされたシンボルは、ＳＦＢＣデコーディングを行う。
【００７６】
第三に、一部の副搬送波で隣接するＯＦＤＭシンボル間にプレコーディングをする方法について説明する。
【００７７】
ＳＦＢＣの場合、プレコーディングされたシンボルの対が経験するチャネルの差が大きくなれば、復調時にエラーが発生するようになり、誤って復調されたシンボルは、ターボコードをデコーディングするとき、性能低下を誘発することができる。したがって、エラーが発生しないように特定位置ではデータシンボルを同じＯＦＤＭシンボルでＳＦＢＣプレコーディングすることなく、隣接するＯＦＤＭシンボルとプレコーディングを行うことによって伝送する方法を提案する。
【００７８】
３）−１．アンテナポートの個数が２以下であり、割り当てられた資源ブロックの個数が奇数である場合
【００７９】
図５の（ｅ）を参照すれば、アンテナポートの個数が２以下であり、割り当てられた資源ブロックの個数が奇数である場合、送信機は、割り当てられた資源ブロック内で復調基準信号があるＯＦＤＭシンボルごとに１つの資源要素にデータシンボルを同じＯＦＤＭシンボルでＳＦＢＣプレコーディングすることなく、隣接するＯＦＤＭシンボルとプレコーディングを行うことによって伝送することができる。例えば、図５の（ｅ）で資源要素（ｍ、０）と隣接する（ｍ＋１、０）を対にしてプレコーディングして伝送することができる。これにより、すべてのＯＦＤＭシンボルで割り当てられた資源ブロック範囲内の同じＯＦＤＭシンボルでＳＦＢＣプレコーディングされたデータシンボルが運搬される副搬送波の個数を偶数に作って、復調時にエラーが発生する問題を解決することができる。
【００８０】
３）−２．アンテナポートの個数が２以下であり、割り当てられた資源ブロックの個数と関係ない場合
【００８１】
図６の（ｃ）を参照すれば、アンテナポートの個数が２以下である場合、割り当てられた資源ブロックの個数と関係なく、基地局は、割り当てられた資源ブロック内で復調基準信号があるＯＦＤＭシンボルごとに各資源ブロック別に最もインデックスが低い副搬送波一個ずつにデータシンボルを同じＯＦＤＭシンボルでＳＦＢＣプレコーディングすることなく、隣接するＯＦＤＭシンボルとプレコーディングを行うことによって伝送することができる。すなわち、図６の（ｃ）で資源要素（ｍ、０）と隣接する資源要素（ｍ＋１、０）を対にしてプレコーディングして伝送し、資源要素（ｍ、ｎ−１２）と隣接する資源要素（ｍ＋１、ｎ−１２）を対にしてプレコーディングして伝送する。これにより、復調エラー及びデコーディング性能低下の問題を解決することができる。
【００８２】
３）−３．アンテナポートの個数が３以上であり、割り当てられた資源ブロックの個数と関係ない場合
【００８３】
図１１を参照すれば、アンテナポートの個数が３以上である場合、割り当てられた資源ブロックの個数と関係なく、送信機は、割り当てられた資源ブロック内で復調基準信号があるＯＦＤＭシンボルごとに２対のコード分割多重された復調基準信号グループの間で２つのＯＦＤＭシンボルで同じ副搬送波位置で同じＯＦＤＭシンボルでＳＦＢＣプレコーディングすることなく、隣接するＯＦＤＭシンボルとプレコーディングを行うことによって伝送することができる。これにより、デコーディング性能の低下を改善することができる。例えば、図１１の（ａ）及び（ｂ）で資源要素（ｍ、４）と隣接する資源要素（ｍ＋１、４）を対にしてプレコーディングし、これを伝送することができる。
【００８４】
この際、同じＯＦＤＭシンボルでＳＦＢＣプレコーディングすることなく、隣接するＯＦＤＭシンボルとプレコーディングをする資源要素の位置は、図１１に示されたものに限定されない。すなわち、２対のコード分割多重された復調基準信号グループの間で連続された２つの副搬送波を除いて２つのＯＦＤＭシンボルで同じ位置にある副搬送波を選択し、同じＯＦＤＭシンボルでＳＦＢＣプレコーディングすることなく、隣接するＯＦＤＭシンボルとプレコーディングを伝送する条件を満足するすべての組合を含む。
【００８５】
前記一部の副搬送波で隣接するＯＦＤＭシンボル間にプレコーディングを行う方法は、ＬＴＥ−Ａシステムでこれらのうち１つだけを支援することもできて、１つ以上を支援することもできる。１つ以上支援する場合には、物理階層制御信号や上位階層制御信号を利用してどんな方法が適用されるかを受信機に通知する。したがって、受信機は、前記言及された方法のうちどんな方法が適用されるかを把握しているので、どんな位置の副搬送波で同じＯＦＤＭシンボルでＳＦＢＣプレコーディングすることなく、隣接するＯＦＤＭシンボルとプレコーディングされて伝送されることを分かる。したがって、受信機は、当該位置で選択されたプレコーディングシンボルの対がどんな位置の副搬送波に位置するかを把握することができ、プレコーディングシンボルの対同士をＳＦＢＣデコーディングを行い、復調されたデータシンボルを得る。
【００８６】
第２実施形態
【００８７】
図１２及び図１３は、本発明の第２実施形態によるプレコーディングシンボル対の資源要素配置方法を説明するための図である。
【００８８】
説明の便宜のために、図１２及び図１３で、送信機が受信機に割り当てた資源ブロックの１つのＯＦＤＭシンボルで副搬送波の数をｎ個と仮定し、１つの資源ブロックは、１４個のＯＦＤＭシンボルを有すると仮定する。これにより、副搬送波は、プレコーディングされたシンボルが割り当てられる手順、すなわち、資源ブロックの下から上に０ないしｎ−１の順にインデクシングする。また、ＯＦＤＭシンボルは、プレコーディングされたシンボルが割り当てられる手順、すなわち、資源ブロックの左から右に０ないし１３の順にインデクシングする。すなわち、（副搬送波のインデックス、ＯＦＤＭシンボルのインデックス）のように示される。
【００８９】
前述した２つの問題点のうち１つの資源要素当たり発生することができる性能低下の側面から見れば、一番目の問題点がさらに大きい性能低下を引き起こすことができる。したがって、一番目の問題点を解決するために、既存のＬＴＥシステムで使用された資源要素配置方法と異なって、次のような資源要素配置方法を提案する。
【００９０】
ＬＴＥ−Ａシステムのための新しい資源要素配置方法は、次の通りである。
【００９１】
第一に、ＰＢＣＨ、同期信号、基準信号の位置には、ＰＤＳＣＨデータシンボルが伝送されない。
【００９２】
第二に、ＰＤＣＣＨのようなＯＦＤＭシンボルにＰＤＳＣＨデータシンボルが伝送されない。
【００９３】
前記基準を守りながら、次のように割り当てる。
【００９４】
図１２の（ａ）は、既存のＬＴＥで使用される資源要素配置方法を示すものであり、図１２の（ｂ）、（ｃ）は、本発明の資源要素配置方法を示すものである。図示のように、本発明の資源要素配置方法は、ＯＦＤＭシンボルごとに交互に副搬送波のインデックスの昇順と降順を繰り返しながら割り当てる方法である。これを点線の矢印で示した。
【００９５】
図１２の（ｂ）及び（ｃ）を参照すれば、割り当てられた資源ブロックのうち最も一番目のＯＦＤＭシンボルの最も低いインデックスの副搬送波位置（０、３）から割当が始まって、副搬送波インデックスを増加させながら割り当てられる。この際、副搬送波インデックスが割り当てられた資源ブロックの一番目のＯＦＤＭシンボルの最後の副搬送波（ｎ−１、３）に到逹すれば、次のＯＦＤＭシンボルの最も高いインデックスの副搬送波（ｎ−１、４）からインデックスを減少させながら最も低いインデックスの副搬送波（０、４）まで割当を開始する。最も低いインデックスの副搬送波まで割り当てられれば、次のＯＦＤＭシンボルでは初めてＯＦＤＭシンボルで割り当てたもののように、さらに最も低いインデックス（０、５）で副搬送波のインデックスを増加させながら割り当て、このような方法を資源ブロック内の最後のＯＦＤＭシンボルまで繰り返す。
【００９６】
図１２の（ｂ）と（ｃ）には、一番目のＯＦＤＭシンボルでは、常に副搬送波インデックスの昇順に資源要素に配置されたが、本発明はこれに限定されるものではなく、一番目のＯＦＤＭシンボルで副搬送波インデックスの降順に資源要素に配置される方法をも含む。
【００９７】
一方、図１３を参照すれば、復調基準信号を含まないＯＦＤＭシンボルでは、すべて同一の方向に資源要素を配置する。
【００９８】
図１３の点線の矢印を参照すれば、復調基準信号を含むＯＦＤＭ２つのシンボル同士だけが互いに異なる方向に資源要素を配置することができる。
【００９９】
図１３の（ａ）を参照すれば、プレコーディングされたシンボルの割当順序は、復調基準信号を含まないＯＦＤＭシンボルの場合、従来の技術のように、資源要素（０、３）から（ｎ−１、３）まで配置した後、資源要素（０、４）から（ｎ−１、４）まで昇順に配置する。その後、復調基準信号を含むＯＦＤＭシンボルの場合、資源要素（０、５）から（ｎ−１、５）まで昇順に配置した後、資源要素（ｎ−１、６）から（０、６）まで降順に配置する。
【０１００】
しかも、図１３で示された形態以外にも、復調基準信号を含まないＯＦＤＭシンボルでは、すべて同一の方向に資源要素を配置し、復調基準信号を含むＯＦＤＭ２つのシンボル同士だけが互いに異なる方向に資源要素を配置する条件を満足するすべての方法は本発明に含まれる。
【０１０１】
ＬＴＥ−Ａシステムで前記新しい資源要素配置方法が常に適用されることもでき、既存の方法と新しい方法が場合によって変わって適用されることができる。常に同一の方法が適用される場合と場合によって２つの以上の方法が変わって適用される場合には、どんな方法で資源要素を配置したかを物理階層信号や上位階層信号などを利用して受信機に通知する。したがって、受信機は、どんな方法でデータシンボルが資源要素に配置されたかを把握することができ、資源要素配置手順と方法を把握すれば、従来のＳＦＢＣ復調方法を利用して復調することができる。
【０１０２】
前述したように、第１及び第２実施形態を含む方法は、１つ方法が固定的に適用されるか、１つ以上の方法が場合によって互いに変わって適用されることもできる。また、一回に１つ以上の方法が同時に適用されることもできる。さらに、それぞれの場合で、１つ方法が固定的に適用される場合以外の場合があり得る。このような場合、送信機は、物理階層制御信号や上位階層制御信号などを利用して受信機にどんな方法が適用されるかを通知することができる。したがって、受信機は、当該方法に適した受信動作を行うことができる。
【０１０３】
図１４は、本発明の実施形態による送信機の概略的な構造を説明するための図である。
【０１０４】
図１４を参照すれば、本発明の実施形態による送信機１００は、スクランブラー１１０、変調器１２０、レイヤーマッパー１３０、プレコーダー１４０、資源要素マッパー１５０、ＯＦＤＭシンボル生成器１６０を含む。
【０１０５】
伝送されるデータは、多重アンテナを使用する場合、１個あるいはそれ以上のコードワード（ｃｏｄｅ  ｗｏｒｄ）で伝送することができる。本発明の実施形態のように、多重のコードワードを使用する場合には、それぞれのコードワードであるデータが入力されれば、スクランブラー１１０は、それぞれのデータをスクランブリングして出力する。
【０１０６】
変調器１２０は、スクランブリングされたデータを変調する。ここで、変調方法は、ＯＰＳＫ、４ＱＡＭ、１６ＱＡＭなどを例示することができる。
【０１０７】
レイヤーマッパー１３０は、変調されたデータが順に入力されれば、各レイヤーにシンボル単位にマッピングする。特に、レイヤーマッパー１３０は、プレコーディング対選択器１３１を含む。
【０１０８】
プレコーディング対選択器１３１は、基本的にプレコーディングされるシンボル対を選択し、プレコーダー１４０に出力する役目を行う。特に、プレコーディング対選択器１３１は、本発明の第１実施形態によって一部の副搬送波でプレコーディングされないシンボル対を伝送することができるようにプレコーディングしないシンボル対を選択して出力することができる。このような方法を図５の（ｃ）、（ｄ）、図６の（ｂ）、図９及び図１０を参照して説明した。
【０１０９】
また、プレコーディング対選択器１３１は、本発明の第１実施形態によって一部の副搬送波で隣接するＯＦＤＭシンボル間にプレコーディングされることができるようにシンボル対を選択して出力することができる。このような方法を図５の（ｅ）、図６の（ｃ）及び図１１を参照して説明した。
【０１１０】
プレコーダー１４０は、入力されるシンボルを一対を基本単位にプレコーディングし、当該プレコーディングされたシンボル対を順にシンボル単位に出力する。
【０１１１】
資源要素マッパー１５０は、入力されるプレコーディングされたシンボルを各端末別に下向きリンクフレームにマッピングする役目を行う。すなわち、資源要素マッパー１５０は、プレコーディングされたシンボル対を資源要素にマッピングする役目を行う。
【０１１２】
特に、資源要素マッパー１５０は、本発明の第１実施形態によって特定副搬送波位置ではプレコーディングされたシンボル対を配置しなくてもよい。このような方法を図５の（ａ）、（ｂ）、図６の（ａ）、図７及び図８を参照して説明した。
【０１１３】
また、資源要素マッパー１５０は、本発明の第２実施形態によってＯＦＤＭシンボル別にプレコーディングされたシンボル対を配置手順を異にして配置することができる。このような方法を図１２及び図１３を参照して説明した。
【０１１４】
ＯＦＤＭシンボル生成器１６０は、各資源要素にマッピング（または配置）されたプレコーディングシンボル対をＯＦＤＭ信号に変調し、アンテナを介して伝送する。
【０１１５】
図１５は、本発明の実施形態による送信機の概略的な構造を説明するための図である。
【０１１６】
図１５を参照すれば、本発明の実施形態による受信機２００は、ＯＦＤＭ復調器２１０、資源要素デマッパー２２０、ＬＬＲ（ｌｏｇ−ｌｉｋｅｌｉｈｏｏｄ  ｒａｔｉｏ）生成器２３０、チャネルデコーダー２４０、情報データ抽出器２５０、基準信号抽出器２６０及びチャネル推定器２７０を含む。
【０１１７】
前述したように、送信機１００は、本発明の実施形態による資源要素配置方法のうちいずれか１つの方法または２以上の組合による方法により資源要素を配置したかを受信機２００に通知する。この際、送信機１００は、物理階層制御信号や上位階層制御信号などを利用して受信機にどんな方法が適用されるかを通知することができる。したがって、受信機２００は、送信機１００の資源要素配置方法を把握していると仮定する。
【０１１８】
ＯＦＤＭ復調器２１０は、受信される信号であるＯＦＤＭ信号を復調して出力する。
【０１１９】
基準信号抽出器２６０は、ＯＦＤＭシンボル別に基準信号を抽出し、チャネル推定器２７０は、基準信号を用いてチャネルを推定する。
【０１２０】
資源要素デマッパー２２０は、送信機１００が伝送した資源配置方法によって受信される資源要素からプレコーディングされたシンボルを抽出する。
【０１２１】
特に、本発明の第１実施形態によって送信機１００が特定の副搬送波位置ではプレコーディングされたシンボル対を配置せずに伝送する場合、資源要素デマッパー２２０は、当該資源要素からシンボルを抽出しない。このような方法を図５の（ａ）、（ｂ）、図６の（ａ）、図７及び図８を参照して説明した。
【０１２２】
また、送信機１００が本発明の第２実施形態によってＯＦＤＭシンボル別にプレコーディングされたシンボル対を配置手順を異にして配置して伝送する場合、資源要素デマッパー２２０は、このような配置手順によって資源要素からシンボルを抽出する。このような方法を図１２及び図１３を参照して説明した。
【０１２３】
ＬＬＲ（ｌｏｇ−ｌｉｋｅｌｉｈｏｏｄ  ｒａｔｉｏ）生成器２３０は、チャネル推定値を用いてＬＬＲ値を算出して出力する。特に、ＬＬＲ（ｌｏｇ−ｌｉｋｅｌｉｈｏｏｄ  ｒａｔｉｏ）生成器２３０は、シンボルデコーダー２３１を含む。シンボルデコーダー２３１は、ＳＦＢＣ方式に従ってプレコーディングされたシンボルをデコーディングする。特に、送信機１００は、本発明の第１実施形態によって一部の副搬送波でプレコーディングされないシンボル対を伝送する場合、シンボルデコーダー２３１は、プレコーディングされないシンボルがマッピングされた資源要素の位置を獲得した後、プレコーディングされないシンボル対をデコーディングしなくてもよい。当該位置の獲得方法は、前述したように、送信機１００が上位シグナリングを通じてあらかじめ受信機２００に通知することができる。このような方法を図５の（ｃ）、（ｄ）、図６の（ｂ）、図９及び図１０を参照して説明した。
【０１２４】
また、送信機１００が本発明の第１実施形態によって隣接するＯＦＤＭシンボルを対にしてプレコーディングして伝送する場合、シンボルデコーダー２３１は、隣接するＯＦＤＭシンボルを対にしてプレコーディングされた資源要素の位置を獲得し、当該シンボル対までＳＦＢＣデコーディングを行うことができる。当該位置の獲得方法は、前述したように、送信機１００が上位シグナリングを通じてあらかじめ受信機２００に通知することができる。このような方法を図５の（ｅ）、図６の（ｃ）及び図１１を参照して説明した。
【０１２５】
デコーディングされたシンボル対が入力されれば、チャネルデコーダー２４０は、ＬＬＲ値に基づいてデータをデコーディングする。これは、ターボコードによる方法によりデータをデコーディングすることができる。
【０１２６】
情報データ抽出器２５０は、チャネルデコーダー２４０がデコーディングした値から実際情報データを抽出する。情報データは、コードワード単位になることができる。
【０１２７】
以下、図１６及び図１７において送信機及び受信機は、本発明の実施形態による資源要素マッピング方法を互いに共有していると仮定する。このような資源要素マッピング方法は、前述したように、上位シグナリングを通じて送信機１００が受信機２００に伝達することができる。
【０１２８】
図１６は、本発明の実施形態による送信機の資源要素マッピング方法を説明するための流れ図である。
【０１２９】
図１６を参照すれば、送信機１００は、１６０１段階で、伝送するデータを変調する。ここで、変調方法は、ＯＰＳＫ、４ＱＡＭ、１６ＱＡＭなどを例示することができる。
【０１３０】
その後、送信機１００は、１６０３段階で、変調されたデータをレイヤーにマッピングすると同時に、変調されたデータからシンボル単位にプレコーディングするシンボル対を選択する。この際、送信機１００は、本発明の第１実施形態によって一部の副搬送波でプレコーディングされないシンボル対を伝送することができるようにプレコーディングしないシンボル対を選択することができる。このような方法を図５の（ｃ）、（ｄ）、図６の（ｂ）、図９及び図１０を参照して説明した。また、送信機１００は、本発明の第１実施形態によって一部の副搬送波で隣接するＯＦＤＭシンボル間にプレコーディングされることができるようにシンボル対を選択して出力することもできる。このような方法を図５の（ｅ）、図６の（ｃ）及び図１１を参照して説明した。
【０１３１】
次いで、送信機１００は、１６０５段階で、以前に選択されたシンボル対別にプレコーディングを行う。
【０１３２】
その後、送信機１００は、１６０７段階で、シンボル対に資源要素にマッピングする。この際、送信機１００は、本発明の第１実施形態によって特定の副搬送波位置ではプレコーディングされたシンボル対を配置しなくてもよい。このような方法を図５の（ａ）、（ｂ）、図６の（ａ）、図７及び図８を参照して説明した。また、送信機１００は、本発明の第２実施形態によってＯＦＤＭシンボルにプレコーディングされたシンボル対を配置手順を異にして配置することができる。このような方法を図１２及び図１３を参照して説明した。
【０１３３】
次に、送信機１００は、１６０９段階でマッピングされたシンボル対を時間軸によってＯＦＤＭ変調し、１６１１段階で、ＯＦＤＭ変調された信号を伝送する。
【０１３４】
図１７は、本発明の実施形態による受信機の資源要素デマッピング方法を説明するための流れ図である。
【０１３５】
図１７を参照すれば、受信機２００は、１７０１段階で、信号を受信し、１７０３段階で、受信された信号をＯＦＤＭ復調する。
【０１３６】
受信機２００は、復調された信号から基準信号を抽出し、抽出した基準信号に基づいてチャネルを推定する。また、受信機２００は、推定されたチャネルを通じてデータを復調するとき、その値を補償する。このような過程は、発明の要旨ではないので、その説明を略する。
【０１３７】
受信機２００は、１７０５段階で、ＯＦＤＭ復調された信号から資源要素をデマッピングする。この際、本発明の第１実施形態によって送信機１００が特定の副搬送波位置ではプレコーディングされたシンボル対を配置せずに伝送すれば、受信機２００は、当該資源要素からシンボルを抽出しない。このような方法を図５の（ａ）、（ｂ）、図６の（ａ）、図７及び図８を参照して説明した。また、送信機１００が本発明の第２実施形態によってＯＦＤＭシンボル別にプレコーディングされたシンボル対を配置手順を異にして配置して伝送すれば、受信機２００は、このような配置手順によって資源要素からシンボルを抽出する。このような方法を図１２及び図１３を参照して説明した。
【０１３８】
次いで、受信機２００は、１７０７段階で、ＳＦＢＣデコーディングを行う。この際、送信機１００が本発明の第１実施形態によって一部の副搬送波でプレコーディングされないシンボル対を伝送した場合、受信機２００は、プレコーディングされないシンボルがマッピングされた資源要素の位置を獲得した後、プレコーディングされないシンボル対をデコーディングしなくてもよい。当該位置の獲得方法は、前述したように、送信機１００が上位シグナリングを通じてあらかじめ受信機２００に通知することができる。このような方法を図５の（ｃ）、（ｄ）、図６の（ｂ）、図９及び図１０を参照して説明した。また、送信機１００が本発明の第１実施形態によって隣接するＯＦＤＭシンボルを対にしてプレコーディングして伝送した場合、受信機２００は、隣接するＯＦＤＭシンボルを対にしてプレコーディングされた資源要素の位置を獲得し、当該シンボル対までＳＦＢＣデコーディングを行うことができる。当該位置の獲得方法は、前述したように、送信機１００が上位シグナリングを通じてあらかじめ受信機２００に通知することができる。このような方法を図５の（ｅ）、図６の（ｃ）及び図１１を参照して説明した。
【０１３９】
次に、受信機２００は、１７０９段階で、チャネルデコーディングを行う。シンボルデータに基づいてＬＬＲ値を生成し、生成したＬＬＲ値によってチャネルデコーディングが行われる。その後、受信機２００は、１７１１段階で、チャネルデコーディングされた値から実際情報データを抽出する。
【０１４０】
チャネル状態情報基準信号をマッピングして伝送する方法について図１８〜図３２を参照して説明する。
【０１４１】
図１８は、ＬＴＥシステムの資源ブロック内でチャネル状態情報基準信号の配置図である。
【０１４２】
図１８を参照すれば、チャネル状態情報基準信号は、ＬＴＥ−Ａシステムで端末がチャネル状態を測定し、基地局にフィードバックするための基準信号である。そして、チャネル状態情報基準信号は、基地局から端末に伝送される基準信号である。ＬＴＥシステムで共通基準信号が各サブフレームごとに伝送されることとは異なって、チャネル状態情報基準信号は、一定の周期を持って伝送される。そして、チャネル状態情報基準信号は、図１８に示されたように資源ブロック内に配置される。
【０１４３】
ＬＴＥシステムでプレコーディングされたシンボルの資源要素配置は、次のような手続によって行われる。ＬＴＥシステムで伝送ダイバシティは、ＳＦＢＣを基盤としているので、資源要素に配置されるプレコーディングされたシンボルの個数は、２の倍数にならなければならない。そして、ＳＦＢＣを適用するための基本仮定によってプレコーディングされたシンボル対が同一であるか、または非常に変化が少ないチャネルを経験しなければならない。したがって、各資源要素に配置されるプレコーディングされたシンボルの対は、隣接する資源要素に配置されなければならない。図１のＬＴＥシステムの共通基準信号の配置を見れば、このような内容をよく反映していることが分かる。
【０１４４】
図１９は、ＬＴＥシステムでプレコーディングシンボル対の配置図を示すもので、４個のアンテナポートを有する共通基準信号が位置するＯＦＤＭシンボルでプレコーディングされたシンボルの対が配置される例示を示すものである。図面で線を介して連結された資源要素にプレコーディングされたシンボルの対が配置される。したがって、ＬＴＥシステムでは、ＳＦＢＣプレコーディングされたシンボルの対は、常に隣接する副反送波に割り当てられることが分かる。
【０１４５】
ＬＴＥ−ＡシステムでＬＴＥシステムの共通基準信号の一部を使用しているが、チャネル状態情報の測定のために新たに図１８のようにチャネル状態情報基準信号が導入された。そのため、ＬＴＥ−ＡシステムにＬＴＥの伝送ダイバシティ技術と資源要素配置基準が同一に適用されれば、特定個数の共通基準信号とチャネル状態情報基準信号の組み合わせでＬＴＥシステムより性能が低下する。
【０１４６】
言い換えれば、図１８に示されたように、チャネル状態情報基準信号が位置するＯＦＤＭシンボルでプレコーディングされたシンボルを伝送することができる資源要素の個数が奇数であるか、または４の倍数ではないことができる。したがって、ＳＦＢＣのシンボル対を成す２つの変調された信号が周波数上で間隔が遠くなって受信したとき、互いに異なるチャネル状況を経験するようになり、性能が低下する。
【０１４７】
ＬＴＥ−Ａでは、１個、２個、４個のアンテナポートを有することができる共通基準信号と１個、２個、４個、８個のアンテナポートを有することができるチャネル状態情報基準信号が自由に組み合わせされることができる。それで、性能低下は、共通基準信号が２個のアンテナポートを有しているとき、１個または２個のアンテナポートのチャネル状態情報基準信号と組み合わせされた場合と４個のアンテナポートの共通基準信号と１個または２個のアンテナポートのチャネル状態情報基準信号が組み合わせされた場合に発生するようになる。
【０１４８】
図２０は、ＬＴＥ−Ａシステムで共通基準信号アンテナポートの個数が２個であり、チャネル状態情報基準信号アンテナポートの個数が１である場合、プレコーディングシンボル対の配置の例示図である。すなわち図２０は、共通基準信号が２個のアンテナポートを有しているとき、１個のアンテナポートのチャネル状態情報基準信号と組み合わせされた場合である。
【０１４９】
図２０を参照すれば、最も上端と下端に位置し、色が異なる資源要素と異なり、実線で連結された資源要素が性能低下を発生させるシンボル対である。性能低下が発生するシンボル対は、図２０の（ａ）、（ｂ）のように、割り当てられた資源ブロックの個数が奇数であるかまたは偶数であるかによって変わるようになる。
【０１５０】
図２１は、ＬＴＥ−Ａシステムで共通基準信号アンテナポートの個数が２個であり、チャネル状態情報基準信号アンテナポートの個数が２である場合、プレコーディングシンボル対の配置の例示図である。図２２は、ＬＴＥ−Ａシステムで共通基準信号アンテナポートの個数が４個でありチャネル状態情報基準信号アンテナポートの個数が１の場合プレコーディングシンボル対の配置の例示図である。図２３は、ＬＴＥ−Ａシステムで共通基準信号アンテナポートの個数が４個であり、チャネル状態情報基準信号アンテナポートの個数が２である場合、プレコーディングシンボル対の配置の例示図である。図２１〜図２３で実線で連結された資源要素と色が異なるように表示された資源要素が性能低下を発生させるシンボル対である。ＬＴＥ−Ａシステムで伝送ダイバシティ技術に性能低下が発生する理由は、図１８のように、新たにチャネル状態情報基準信号が導入され、ＳＦＢＣプレコーディングされたシンボル対が隣接する資源要素に割り当てられることができないからである。したがって、本発明では、第３及び第４実施形態を通じて発生する伝送ダイバシティ技術の性能低下の問題点を解決しようとする。
【０１５１】
第３実施形態
【０１５２】
性能低下の問題点を解決するためにプレコーディングされたシンボルを特定の資源要素に配置する方法を提案する。プレコーディングされたシンボルを特定の資源要素に配置する方法は、図２４〜図２７を参照して説明する。
【０１５３】
図２４は、本発明の実施形態によるＬＴＥ−Ａシステムで共通基準信号アンテナポートの個数が２個であり、チャネル状態情報基準信号アンテナポートの個数が１である場合、本発明の資源要素配置方法を適用した例示図である。図２５は、本発明の実施形態によるＬＴＥ−Ａシステムで共通基準信号アンテナポートの個数が２個であり、チャネル状態情報基準信号アンテナポートの個数が２である場合、資源要素配置方法を適用した例示図である。図２６は、本発明の実施形態によるＬＴＥ−Ａシステムで共通基準信号アンテナポートの個数が４個であり、チャネル状態情報基準信号アンテナポートの個数が１である場合、資源要素配置方法を適用した例示図である。図２７は、本発明の実施形態によるＬＴＥ−Ａシステムで共通基準信号アンテナポートの個数が４個であり、チャネル状態情報基準信号アンテナポートの個数が２である場合、資源要素配置方法を適用した例示図である。
【０１５４】
１）２個のアンテナポートの共通基準信号と１個のアンテナポートのチャネル状態情報基準信号がある場合
【０１５５】
図２４に示されたように、１つのＯＦＤＭシンボルでＰＤＳＣＨ伝送に使用される資源要素の個数を偶数にしてＳＦＢＣプレコーディングされたシンボル対が互いに遠く離れた資源要素に配置されないようにするものである。この場合、ダイバシティ技法でＳＦＢＣが適用されることができ、図２４に示されたように、チャネル状態情報基準信号が存在するＯＦＤＭシンボルでチャネル状態情報基準信号と隣接している資源要素の１つを使用しない。ここで、資源要素を使用しないことは、当該資源要素位置で何も伝送せずに空状態にすることを言う。この際、空状態にする資源要素は、次のような方法を利用して選択する。
【０１５６】
１つの資源ブロック内で１つのＯＦＤＭシンボルに属する資源要素のインデックスは、ＬＴＥシステムで資源が配置される手順によって先に配置される資源に低いインデックスを有するようにする。言い換えれば、１つの資源ブロック内で１つのＯＦＤＭシンボルで最も一番目の資源要素のインデックスは、０番になり、最も後の資源要素のインデックスは、１１番になる。
【０１５７】
チャネル状態情報基準信号が位置する資源要素のインデックスｎが奇数（ｍｏｄ（ｎ、２）＝１）である場合、チャネル状態情報基準信号が位置するＯＦＤＭシンボルのｎ−１番の資源要素に何も伝送しない。そして、チャネル状態情報基準信号が位置する資源要素のインデックスｎが偶数（ｍｏｄ（ｎ、２）＝０）である場合、チャネル状態情報基準信号が位置するＯＦＤＭシンボルのｎ＋１番の資源要素に何も伝送しない。
【０１５８】
２）２個のアンテナポートの共通基準信号と２個のアンテナポートのチャネル状態情報基準信号がある場合
【０１５９】
この場合、ダイバシティ技法でＳＦＢＣが適用されることができ、図２５に示されたように、チャネル状態情報基準信号が存在するＯＦＤＭシンボルでチャネル状態情報基準信号と隣接している資源要素を使用しない方法を提案する。図２５を参照すれば、２個のアンテナポートのチャネル状態情報基準信号がある場合、チャネル状態情報基準信号は、２つの隣接するＯＦＤＭシンボルの同一の周波数インデックス位置に存在する。したがって、この場合、使用しない資源要素の位置は、チャネル状態情報基準信号があるＯＦＤＭシンボルでチャネル状態情報基準信号と隣接する基準信号で各ＯＦＤＭシンボル当たり１つずつの資源要素を使用しない資源要素として決定する。この際、使用しない資源要素の位置は、下記のように決定する。
【０１６０】
チャネル状態情報基準信号が位置する資源要素のインデックスｎが奇数（ｍｏｄ（ｎ、２）＝１）である場合、チャネル状態情報基準信号が位置するＯＦＤＭシンボルのｎ−１番の資源要素に何も伝送しない。そして、チャネル状態情報基準信号が位置する資源要素のインデックスｎが偶数（ｍｏｄ（ｎ、２）＝０）である場合、チャネル状態情報基準信号が位置するＯＦＤＭシンボルのｎ＋１番の資源要素に何も伝送しない。
【０１６１】
３）４個のアンテナポートの共通基準信号と１個のアンテナポートのチャネル状態情報基準信号がある場合
【０１６２】
この場合、ダイバシティ技法でＦＳＴＤが適用されることができ、図２６に示されたように、チャネル状態情報基準信号が存在するＯＦＤＭシンボルで３個の資源要素を使用しない方法を提案する。図１８によれば、チャネル状態情報基準信号は、１つの資源ブロック内で１つのＯＦＤＭシンボルに４個または１２個の資源要素に位置する。そして、４個の資源要素にチャネル状態情報基準信号があり得る場合、図２６の（ａ）のように、現在基準信号として使用している資源要素の位置を除いた残りの３個の資源要素位置を信号伝送に使用しないようにする。または、図２６の（ｂ）のように、１２個の資源要素にチャネル状態情報基準信号がある場合、現在基準信号として使用している資源要素に隣接する３個の資源要素位置を信号伝送に使用しない。この際、信号伝送に使用しない資源要素の位置は、次のように定められる。
【０１６３】
【数５】
2013516889.tif 000007
【０１６４】
４）４個のアンテナポートの共通基準信号と２個のアンテナポートのチャネル状態情報基準信号がある場合
【０１６５】
この場合、ダイバシティ技法でＳＦＢＣが適用されることができ、本発明では、図２７に示されたように、チャネル状態情報基準信号が存在するＯＦＤＭシンボルでチャネル状態情報基準信号と隣接している資源要素を使用しない方法を提案する。図２７に示されたように、２個のアンテナポートのチャネル状態情報基準信号がある場合、チャネル状態情報基準信号は、２つの連接するＯＦＤＭシンボルの同一の周波数インデックス位置に存在する。したがって、使用しない資源要素の位置は、チャネル状態情報基準信号があるＯＦＤＭシンボルでチャネル状態情報基準信号と隣接する基準信号で各ＯＦＤＭシンボル当たり１つの資源要素を使用しない資源要素として決定する。そして、使用しない資源要素の位置は、下記のように決定される。
【０１６６】
チャネル状態情報基準信号が位置する資源要素のインデックスｎが奇数（ｍｏｄ（ｎ、２）＝１）である場合、チャネル状態情報基準信号が位置するＯＦＤＭシンボルのｎ−１番の資源要素に何も伝送しない。またはチャネル状態情報基準信号が位置する資源要素のインデックスｎが偶数（ｍｏｄ（ｎ、２）＝０）である場合、チャネル状態情報基準信号が位置するＯＦＤＭシンボルのｎ＋１番の資源要素に何も伝送しない。
【０１６７】
このように一部の副反送波でデータシンボルを伝送しない方法は、これらのうち１つだけが支援されることもでき、１つ以上が支援されることができる。１つ以上が支援される場合、基地局は、物理階層制御信号や上位階層制御信号を利用してどんな方法が適用されるかを端末に通知する。したがって、端末は、どんな位置の副反送波で何も伝送されないか、プレコーディングされたシンボル以外の他の信号が伝送されることが分かる。
【０１６８】
プレコーディングされたシンボル以外の他の信号（例えば、制御信号）が資源要素にマッピングされて伝送されれば、端末は、当該位置を確認し、当該信号を適当な方法に復調する。この際、端末は、残りのデータシンボルがプレコーディングされて伝送された部分を別に復調する。そして、何も伝送されない場合、端末は、当該資源要素の位置値をｎｕｌｌ（０）にし、残りのデータシンボルをプレコーディングして伝送された他の信号とともに復調する。また、端末は、当該位置のみを除いて残りのプレコーディングされたシンボルだけを復調することもできる。
【０１６９】
第４実施形態
【０１７０】
ＬＴＥシステムでは、変調されてレイヤーに割り当てられたシンボルが順次にＳＦＢＣプレコーディングされて対を成したが、ＬＴＥ−Ａシステムでは、上記言及された問題点によってＬＴＥシステムとは異なる方法が要求される。したがって、次のような方法で、これを解決しようとする。
【０１７１】
一番目の方法は、一部の資源要素でＳＦＢＣプレコーディングされないシンボルを伝送する方法である。
【０１７２】
ＳＦＢＣの場合、プレコーディングされたシンボル対が経験するチャネルの差が大きくなれば、復調時にエラーが発生するようになる。そして、誤って復調されたシンボルがターボコードにデコーディングされるとき、性能低下が誘発されることができる。したがって、特定の資源要素位置でデータシンボルをＳＦＢＣプレコーディングせずに伝送する方法を提案する。
【０１７３】
特定の資源要素に位置するプレコーディングシンボル対は、ＳＦＢＣプレコーディングが適用されない。この際、プレコーディングが適用されることなく伝送されるシンボルが配置される資源要素の位置は、下記のような方法で決定する。このような方法は、図２８〜図３１を参照して説明する。
【０１７４】
図２８は、本発明の実施形態によるＬＴＥ−Ａシステムで共通基準信号アンテナポートの個数が２個であり、チャネル状態情報基準信号アンテナポートの個数が１である場合、プレコーディング方法を適用した例示図である。また、図２９は、本発明の実施形態によるＬＴＥ−Ａシステムで共通基準信号アンテナポートの個数が２個であり、チャネル状態情報基準信号アンテナポートの個数が２である場合、プレコーディング方法を適用した例示図である。また、図３０は、本発明の実施形態によるＬＴＥ−Ａシステムで共通基準信号アンテナポートの個数が４個であり、チャネル状態情報基準信号アンテナポートの個数が１である場合、プレコーディング方法を適用した例示図である。次に、図３１は、本発明の実施形態によるＬＴＥ−Ａシステムで共通基準信号アンテナポートの個数が４個であり、チャネル状態情報基準信号アンテナポートの個数が２である場合、プレコーディング方法を適用した例示図である。
【０１７５】
１）２個のアンテナポートの共通基準信号と１個のアンテナポートのチャネル状態情報基準信号がある場合
【０１７６】
この場合、ダイバシティ技法でＳＦＢＣが適用されることができ、本発明では、図２８に示されたように、チャネル状態情報基準信号が存在するＯＦＤＭシンボルでチャネル状態情報基準信号と隣接している資源要素の１つにＳＦＢＣを適用しない。
【０１７７】
まず、資源ブロック内で資源要素のインデクシングを次のように仮定する。１つの資源ブロック内で１つのＯＦＤＭシンボルに属する資源要素のインデックスは、次のように資源が配置される手順によって先に配置する方を低いインデックスを有するようにする。これにより、１つの資源ブロック内で１つのＯＦＤＭシンボルの最も一番目の資源要素のインデックスは、０番になり、最も後の資源要素のインデックスは、１１番になる。
【０１７８】
もしチャネル状態情報基準信号が位置する資源要素のインデックスｎが奇数（ｍｏｄ（ｎ、２）＝１）である場合、チャネル状態情報基準信号が位置するＯＦＤＭシンボルのｎ−１番の資源要素に位置する変調された信号は、ＳＦＢＣプレコーディングが適用されない。またはチャネル状態情報基準信号が位置する資源要素のインデックスｎが偶数（ｍｏｄ（ｎ、２）＝０）である場合、チャネル状態情報基準信号が位置するＯＦＤＭシンボルのｎ＋１番の資源要素に位置する変調された信号は、ＳＦＢＣプレコーディングが適用されない。
【０１７９】
２）２個のアンテナポートの共通基準信号と２個のアンテナポートのチャネル状態情報基準信号がある場合
【０１８０】
この場合、ダイバシティ技法でＳＦＢＣが適用されることができ、本発明では、図２９に示されたように、チャネル状態情報基準信号が存在するＯＦＤＭシンボルでチャネル状態情報基準信号と隣接している資源要素をＳＦＢＣを適用しない方法を提案する。図２９に示されたように、２個のアンテナポートのチャネル状態情報基準信号がある場合、チャネル状態情報基準信号は、２つの隣接するＯＦＤＭシンボルの同一の周波数インデックス位置に存在する。したがって、資源要素の位置は、チャネル状態情報基準信号があるＯＦＤＭシンボルでチャネル状態情報基準信号と隣接する基準信号で各ＯＦＤＭシンボル当たり１つずつの資源要素をＳＦＢＣプレコーディングが適用されない資源要素の位置に決定される。
【０１８１】
チャネル状態情報基準信号が位置する資源要素のインデックスｎが奇数（ｍｏｄ（ｎ、２）＝１）である場合、チャネル状態情報基準信号が位置するＯＦＤＭシンボルのｎ−１番の資源要素に位置する変調された信号は、ＳＦＢＣプレコーディングが適用されない。そして、チャネル状態情報基準信号が位置する資源要素のインデックスｎが偶数（ｍｏｄ（ｎ、２）＝０）である場合、チャネル状態情報基準信号が位置するＯＦＤＭシンボルのｎ＋１番の資源要素に位置する変調された信号は、ＳＦＢＣプレコーディングが適用されない。
【０１８２】
３）４個のアンテナポートの共通基準信号と１個のアンテナポートのチャネル状態情報基準信号がある場合
【０１８３】
この場合、ダイバシティ技法でＦＳＴＤが適用されることができ、図３０に示されたように、チャネル状態情報基準信号が存在するＯＦＤＭシンボルで３個の資源要素にＳＦＢＣを使用しない方法を提案する。図１８によれば、チャネル状態情報基準信号は、１つの資源ブロック内で１つのＯＦＤＭシンボルに４個または１２個の資源要素に位置することができる。したがって、４個の資源要素にチャネル状態情報基準信号があり得る場合、図３０の（ａ）のように、現在基準信号として使用している資源要素を除いた残りの３個の資源要素位置でＳＦＢＣプレコーディングが適用されないようにする。そうではなく、（ｂ）のように１２個の資源要素にチャネル状態情報基準信号がある場合、現在基準信号として使用している資源要素と隣接する３個の資源要素にＳＦＢＣプレコーディングを適用しない。この際、ＳＦＢＣプレコーディングが適用されない３個の資源要素位置は、次のように定められる。
【０１８４】
【数６】
2013516889.tif 000008
【０１８５】
４）４個のアンテナポートの共通基準信号と２個のアンテナポートのチャネル状態情報基準信号がある場合
【０１８６】
この場合、ダイバシティ技法でＦＳＴＤが適用されることができ、図３１に示されたように、チャネル状態情報基準信号が存在するＯＦＤＭシンボルでチャネル状態情報基準信号と隣接している資源要素でＳＦＢＣプレコーディングを使用しない方法を提案する。図３１に示されたように、２個のアンテナポートのチャネル状態情報基準信号がある場合、チャネル状態情報基準信号は、２つの隣接するＯＦＤＭシンボルの同一の周波数インデックス位置に存在する。したがって、ＳＦＢＣを使用しない資源要素の位置は、チャネル状態情報基準信号があるＯＦＤＭシンボルでチャネル状態情報基準信号と隣接する基準信号で各ＯＦＤＭシンボル当たり１つずつの資源要素をＳＦＢＣを適用しない資源要素にし、その位置は、下記のように決定する。
【０１８７】
チャネル状態情報基準信号が位置する資源要素のインデックスｎが奇数（ｍｏｄ（ｎ、２）＝１）である場合、チャネル状態情報基準信号が位置するＯＦＤＭシンボルのｎ−１番の資源要素に位置する変調された信号は、ＳＦＢＣプレコーディングを適用しない。またはチャネル状態情報基準信号が位置する資源要素のインデックスｎが偶数（ｍｏｄ（ｎ、２）＝０）である場合、チャネル状態情報基準信号が位置するＯＦＤＭシンボルのｎ＋１番の資源要素に位置する変調された信号は、ＳＦＢＣプレコーディングを適用しない。
【０１８８】
ＬＴＥ−Ａシステムで一部の副反送波でＳＦＢＣプレコーディングされないシンボルを伝送する方法で１つだけを支援することもでき、１つ以上を支援することもできる。１つ以上支援する場合、基地局は、物理階層制御信号や上位階層制御信号を利用してどんな方法が適用されるかを端末に通知する。したがって、端末は、上記言及された方法のうちどんな方法が適用されるかを把握していて、どんな位置の副反送波でＳＦＢＣでプレコーディングされないシンボルが伝送されることを把握することができる。これより、端末は、当該資源要素の位置にマッピングされたシンボルは、ＳＦＢＣデコーディングせずに復調する。そして、端末は、当該資源要素に配置されたシンボルを除いて残りの資源要素に位置するプレコーディングされたシンボルにＳＦＢＣデコーディングを行う。
【０１８９】
第二に、一部の副反送波で隣接するＯＦＤＭシンボルの間にプレコーディングをする方法について図３２を参照して説明する。
【０１９０】
ＳＦＢＣの場合、プレコーディングされたシンボル対が経験するチャネルの差が大きくなれば、復調時にエラーが発生するようになり、誤って復調されたシンボルは、ターボコードをデコーディングする時、性能低下を誘発することができる。したがって、エラーが発生しないように、特定位置では、データシンボルを同じＯＦＤＭシンボルでＳＦＢＣプレコーディングせずに、隣接ＯＦＤＭシンボルとプレコーディングを行うことによって伝送する方法を提案する。第５実施形態で説明する伝送方法は、既に説明された他の方法とは異なって、チャネル状態情報基準信号が２個のアンテナポートを有する場合にのみ適用することができる。
【０１９１】
この場合、共通基準信号が伝送されるアンテナポート個数と関係なく、図３２に示されたように、チャネル状態情報基準信号が存在するＯＦＤＭシンボルでチャネル状態情報基準信号と隣接している資源要素を隣接ＯＦＤＭシンボルにある資源要素に属するシンボルとともにＳＦＢＣを適用する方法を提案する。図３２に示されたように、２個のアンテナポートのチャネル状態情報基準信号がある場合、チャネル状態情報基準信号は、２つの隣接するＯＦＤＭシンボルの同一の周波数インデックス位置に存在する。したがって、資源要素の位置は、チャネル状態情報基準信号があるＯＦＤＭシンボルでチャネル状態情報基準信号と隣接する基準信号で、各ＯＦＤＭシンボル当たり１つずつ資源要素にＳＦＢＣが適用される。この際、ＳＦＢＣの適用される信号が位置する資源要素は、下記のように決定する。
【０１９２】
チャネル状態情報基準信号が位置する資源要素のインデックスｎが奇数（ｍｏｄ（ｎ、２）＝１）である場合、チャネル状態情報基準信号が位置するＯＦＤＭシンボルのｎ−１番の資源要素に位置する変調された信号は、ＳＦＢＣプレコーディングを適用しない。また、チャネル状態情報基準信号が位置する資源要素のインデックスｎが偶数（ｍｏｄ（ｎ、２）＝０）である場合、チャネル状態情報基準信号が位置するＯＦＤＭシンボルのｎ＋１番の資源要素に位置する変調された信号は、ＳＦＢＣプレコーディングを適用しない。
【０１９３】
ＬＴＥ−Ａシステムで一部の副反送波で隣接するＯＦＤＭシンボルの間にプレコーディングをする方法のうち１つだけが支援されることもでき、１つ以上が支援されることもできる。１つ以上支援される場合、基地局は、物理階層制御信号や上位階層制御信号を利用してどんな方法が適用されるかを端末に通知する。したがって、端末は、上記言及された方法のうちどんな方法が適用されるかを把握している。それで、端末は、どんな位置の副反送波でどんなＯＦＤＭシンボルがＳＦＢＣプレコーディングされず、隣接ＯＦＤＭシンボルとプレコーディングされて伝送されることを把握することができる。また、端末は、当該位置の資源要素で選択されたプレコーディングシンボル対がどんな位置の副反送波に位置するかを把握することができ、プレコーディングされたシンボル対にＳＦＢＣデコーディングを行うことによって、復調されたデータシンボルを得る。
【０１９４】
そして、言及された方法は、１つ方法が固定的に適用されるか、１つ以上の方法が場合によって互いに変わって適用されることもでき、一回に１つ以上の方法が同時に適用されることもできる。そして、基地局は、１つ方法が固定的に適用される場合、その他の残りの場合は、物理階層制御信号や上位階層制御信号などを利用して端末にどんな方法が適用されるかを通知する。したがって、端末は、当該方法に適した受信動作を行うことができる。
【０１９５】
本明細書と図面に開示された本発明の実施形態は、本発明の技術内容を容易に説明し、本発明の理解を助けるために特定例を提示したものに過ぎず、本発明の範囲を限定しようとするものではない。ここに開示された実施形態以外にも、本発明の技術的思想に基づく他の変形例が実施可能であることは、本発明が属する技術分野における通常の知識を有する者に自明である。
【符号の説明】
【０１９６】
１００  送信機
１１０  スクランブラ―
１２０  変調器
１３０  レイヤーマッパー
１３１  プレコーディング対選択器
１４０  プレコーダー
１５０  資源要素マッパー
１６０  ＯＦＤＭシンボル生成器
２００  受信機
２１０  ＯＦＤＭ復調器
２２０  資源要素デマッパー
２３０  ＬＬＲ生成器
２３１  シンボルデコーダー
２４０  チャネルデコーダー
２５０  情報データ抽出器
２６０  基準信号抽出器
２７０  チャネル推定器
【図１】
2013516889.tif 000009
【図２】
2013516889.tif 000010
【図３】
2013516889.tif 000011
【図４（ａ）】
2013516889.tif 000012
【図４（ｂ）】
2013516889.tif 000013
【図４（ｃ）】
2013516889.tif 000014
【図４（ｄ）】
2013516889.tif 000015
【図４（ｅ）】
2013516889.tif 000016
【図４（ｆ）】
2013516889.tif 000017
【図５】
2013516889.tif 000018
【図６】
2013516889.tif 000019
【図７】
2013516889.tif 000020
【図８】
2013516889.tif 000021
【図９】
2013516889.tif 000022
【図１０】
2013516889.tif 000023
【図１１】
2013516889.tif 000024
【図１２】
2013516889.tif 000025
【図１３】
2013516889.tif 000026
【図１４】
2013516889.tif 000027
【図１５】
2013516889.tif 000028
【図１６】
2013516889.tif 000029
【図１７】
2013516889.tif 000030
【図１８】
2013516889.tif 000031
【図１９】
2013516889.tif 000032
【図２０（ａ）】
2013516889.tif 000033
【図２０（ｂ）】
2013516889.tif 000034
【図２１（ａ）】
2013516889.tif 000035
【図２１（ｂ）】
2013516889.tif 000036
【図２２（ａ）】
2013516889.tif 000037
【図２２（ｂ）】
2013516889.tif 000038
【図２３（ａ）】
2013516889.tif 000039
【図２３（ｂ）】
2013516889.tif 000040
【図２４】
2013516889.tif 000041
【図２５】
2013516889.tif 000042
【図２６（ａ）】
2013516889.tif 000043
【図２６（ｂ）】
2013516889.tif 000044
【図２７】
2013516889.tif 000045
【図２８】
2013516889.tif 000046
【図２９】
2013516889.tif 000047
【図３０】
2013516889.tif 000048
【図３１】
2013516889.tif 000049
【図３２】
2013516889.tif 000050
【国際調査報告】
2013516889.tif 000051
2013516889.tif 000052
2013516889.tif 000053